(57)【特許請求の範囲】
【請求項１】
連続状端子を供給して電線の端部に端子を圧着するためのアプリケータを交換可能に備えたアプリケータ装置であって、
前記アプリケータを保持する保持機構部を有するスライドベースと、
前記スライドベースを、端子の圧着を行う圧着位置とその圧着位置から側方へ離れたセット位置との間で移動自在に支持するスライド支持部材と、
前記保持機構部により前記アプリケータを仮保持させた状態で、前記スライドベースを前記圧着位置に向けて移動させると共に、前記スライドベースが前記圧着位置に達すると、前記保持機構部が前記アプリケータを保持する状態を維持させるベース移動手段と、
を備え、
前記スライドベースは、
前記アプリケータが載置されるベース本体を備えると共に、
前記保持機構部として、前記アプリケータを前記ベース本体上に脱着可能な脱着位置と前記ベース本体上に載置されたアプリケータを保持可能な保持位置との間で移動自在な保持体と、前記保持体を前記保持位置に向けて付勢する仮固定用付勢手段とを備え、
前記ベース移動手段に、圧縮変形可能な圧縮変形部を介して前記ベース本体を押動するための押動部が設けられると共に、前記圧縮変形部が圧縮変形した状態で前記保持体に当接可能な当接部が設けられ、
前記ベース移動手段は、
前記押動部が非圧縮状態の前記圧縮変形部を介して前記ベース本体を押動して前記スライドベースを前記圧着位置に向けて移動させると共に、
前記スライドベースが前記圧着位置に達すると、前記圧縮変形部を圧縮変形させて、前記当接部を前記保持体に当接させることにより、前記保持体が前記保持位置に位置して前記アプリケータを保持する状態を維持させるアプリケータ装置。
【請求項２】
請求項１記載のアプリケータ装置であって、
前記アプリケータは、
複数の端子が直列状に連結されてなる連続状端子を、前記電線の端部延長上から送り込むタイプのものであり、
前記スライド支持部材は、
前記スライドベースを前記電線の長手方向に沿って移動自在に支持する、アプリケータ装置。
【発明の詳細な説明】
【０００１】
【発明の属する技術分野】
この発明は、電線の端部に端子を圧着するための端子圧着装置におけるアプリケータ装置に関する。
【０００２】
【従来の技術】
端子圧着装置として、連続的に送給される長尺の電線の端部に端子を圧着しつつ、該電線を適宜長に切断するものがある。
【０００３】
かかる端子圧着装置においては、複数の端子が適宜間隔を有して連続状に連結されてなる連続状端子をアプリケータにて、電線の端部に向けて送り込み、各端子を順次切離して電線の端部に圧着するようにしている。
【０００４】
ところで、電線の端部に圧着される端子の種類を変更する場合、該端子の形状等に応じたアプリケータに変更する必要がある。
【０００５】
この場合、アプリケータを、電線の端部に端子を圧着可能な圧着位置に直接配設固定するような構成を採用すると、アプリケータに端子圧着用のプレス力を加えるためのプレス装置等が邪魔になって、該アプリケータの配設固定作業や連続状端子をアプリケータにセットする作業が困難となる。
【０００６】
そこで、従来では、電線の側方から連続状端子を送り込んで各端子を圧着するタイプのアプリケータ（いわゆるサイドアプリ）を交換するために、前記圧着位置から側方に離れた位置で、アプリケータをスライドベースに固定し、そこで連続状端子をアプリケータにセットした後、スライドベースを移動させて、アプリケータを圧着位置に移動させる構成が採用されている。
【０００７】
これにより、圧着位置近傍に配設されるプレス装置等が邪魔にならない場所で、アプリケータの配設固定作業や連続状端子のセット作業を容易に行えることとなる。
【０００８】
しかしながら、この場合、端子を圧着する際に、アプリケータががたつくことのないように、アプリケータをスライドベース上に強固に固定する必要がある。このため、アプリケータを人手でスライドベース上に仮固定した後、例えば、レバー操作に連動する周知のロック機構を用いて、該アプリケータを本固定するようにしている。
【０００９】
【発明が解決しようとする課題】
しかしながら、従来の端子圧着装置では、アプリケータをスライドベース上に仮固定した後、レバー等を操作してロック機構を働かせる必要があり、アプリケータの固定作業が繁雑なものとなっていた。
【００１０】
そこで、この発明の課題は、アプリケータをより容易かつがたつき無く固定することができるアプリケータ装置を提供することにある。
【００１１】
【課題を解決するための手段】
上記課題を解決すべく、請求項１記載のアプリケータ装置は、連続状端子を供給して電線の端部に端子を圧着するためのアプリケータを交換可能に備えたアプリケータ装置であって、前記アプリケータを保持する保持機構部を有するスライドベースと、前記スライドベースを、端子の圧着を行う圧着位置とその圧着位置から側方へ離れたセット位置との間で移動自在に支持するスライド支持部材と、前記保持機構部により前記アプリケータを仮保持させた状態で、前記スライドベースを前記圧着位置に向けて移動させると共に、前記スライドベースが前記圧着位置に達すると、前記保持機構部が前記アプリケータを保持する状態を維持させるベース移動手段とを備えたものである。
【００１２】
さらに、前記スライドベースは、前記アプリケータが載置されるベース本体を備えると共に、前記保持機構部として、前記アプリケータを前記ベース本体上に脱着可能な脱着位置と前記ベース本体上に載置されたアプリケータを保持可能な保持位置との間で移動自在な保持体と、前記保持体を前記保持位置に向けて付勢する仮固定用付勢手段とを備え、前記ベース移動手段に、圧縮変形可能な圧縮変形部を介して前記ベース本体を押動するための押動部が設けられると共に、前記圧縮変形部が圧縮変形した状態で前記保持体に当接可能な当接部が設けられ、前記ベース移動手段は、前記押動部が非圧縮状態の前記圧縮変形部を介して前記ベース本体を押動して前記スライドベースを前記圧着位置に向けて移動させると共に、前記スライドベースが前記圧着位置に達すると、前記圧縮変形部を圧縮変形させて、前記当接部を前記保持体に当接させることにより、前記保持体が前記保持位置に位置して前記アプリケータを保持する状態を維持させるようにしている。
【００１３】
また、請求項２記載のように、前記アプリケータは、複数の端子が直列状に連結されてなる連続状端子を、前記電線の端部延長上から送り込むタイプのものであり、前記スライド支持部材は、前記スライドベースを前記電線の長手方向に沿って移動自在に支持するものであってもよい。
【００１４】
【発明の実施の形態】
以下、この発明の実施の形態に係るアプリケータ装置について説明する。
【００１５】
このアプリケータ装置は、連続的に送給される電線の端部に端子を圧着する端子圧着装置に適用されるものであり、まず、端子圧着装置の概略構成について説明する。
【００１６】
図１は本アプリケータ装置２０が適用された端子圧着装置を示す概略平面図であり、図２は同端子圧着装置を示す概略側面図である。
【００１７】
この端子圧着装置は、電線Ｗを切断して端部の皮剥ぎを行う切断皮剥部１２と、電線Ｗの端部を把持可能なクランプ部１４と、アプリケータ２２を有するアプリケータ装置２０と、プレス部１６とを備えている。
【００１８】
上記クランプ部１４は、電線Ｗの端部を把持した状態で、図示省略のエアシリンダ等の駆動手段の駆動により、切断皮剥部１２に対向する位置とアプリケータ２２に対向する位置との間で移動自在とされている。
【００１９】
そして、図示省略の収容リールに巻回収容された長尺の電線Ｗが図示省略の測長部を通って、クランプ部１４に送給される。
【００２０】
クランプ部１４がアプリケータ２２に対向する位置に配設された状態では、電線Ｗの端部がアプリケータ２２により端子圧着可能な位置に支持される。そして、該アプリケータ２２により電線Ｗの端部に端子が圧着された後、クランプ部１４が切断皮剥部１２に対向する位置に移動して、該電線Ｗが切断皮剥部１２を通って外部に導出される。電線Ｗが予め設定された所定長だけクランプ部１４から切断皮剥部１２に送り込まれて外部に導出された時点で、切断皮剥部１２により電線Ｗが切断され、その端部の皮剥ぎが行われる。
【００２１】
上記動作を繰り返すことにより、端部に端子が圧着された所定長の電線Ｗが連続的に製造される。
【００２２】
なお、電線Ｗの両端部に端子を圧着する場合には、電線Ｗの送給方向を挟んで反対側に、上記クランプ部１４，アプリケータ装置２０及びプレス部１６と同様構成要素を配設することにより、切断皮剥部１２を通って導き出された電線Ｗの他端部にも同様にして端子を圧着することができる。
【００２３】
なお、上記各動作を実現するための切断皮剥部１２，クランプ部１４及びプレス部１６の具体的構成については周知であるので、ここではその詳細な説明は省略する。
【００２４】
次に、アプリケータ装置２０について説明する。図３はアプリケータ装置２０を示す概略平面図であり、図４はアプリケータ装置２０を示す概略側面図である。また、図５はスライドベース３０の要部拡大平面図であり、図６は図５のＶＩ−ＶＩ線断面図である。なお、説明の便宜上、アプリケータ２２が側方のセット位置からクランプ部１４近傍の圧着位置に向う側を前側とし、反対側を後側として説明する。
【００２５】
このアプリケータ装置２０は、アプリケータ２２を交換可能に備えるもので、さらに、該アプリケータ２２が載置固定されるスライドベース３０と、スライド支持部材４５と、ベース移動手段としてのベース移動機構部５０とを備えている。
【００２６】
ここで、本実施の形態において対象となる連続状端子Ｔは、複数の端子がそれぞれの一端部と他端部とを連結することにより直列状に連結されたものを想定しており、該連続状端子Ｔの各端子は、電線Ｗの端部延長上より供給され該電線Ｗの端部に圧着される（図１及び図２参照）。
【００２７】
アプリケータ２２は、各端子を切離するため切離部や、連続状端子Ｔを端子１個分ずつ送給する送給部、端子を圧着するための上金型及び下金型等を備えている。そして、プレス部１６によるプレス力を受けて、連続状端子Ｔを電線Ｗの端部に向けて端子１個分ずつ送り込み、各端子を順次切離して電線Ｗの端部に圧着可能に構成されている。かかる動作を実現するためのアプリケータ２２自体の具体的構成については周知であるので、ここではその詳細な説明は省略する。
【００２８】
また、アプリケータ２２の下端部には、基部２３が設けられている。基部２３の前縁部の略中央部と後縁部の略中央部には、下方に向けて徐々に外向きに突出する抜止係合部２４，２５が形成されている（図５〜図７参照）。そして、後述するようにスライドベース３０側の抜止被係合部３２ａ及び保持部３４の抜止被係合保持部３４ａが各抜止係合部２４，２５に係合することで、アプリケータ２２がスライドベース３０に対して所定位置に保持されることとなる。
【００２９】
スライドベース３０は、アプリケータ２２が載置されるベース本体３１と、該アプリケータ２２を保持するための保持部３４と、仮固定用付勢手段としてのコイルバネ３７とを備えている。
【００３０】
ベース本体３１は、正面視略長方形状の板状に形成されている。
【００３１】
このベース本体３１の前端縁部には、アプリケータ２２の基部２３をその前方より保持する突条受部３２が形成されている。
【００３２】
具体的には、突条受部３２は、ベース本体３１の幅方向に沿って、上方に突出するように形成されている。また、この突条受部３２の後面側の略中央部に、抜止被係合部３２ａが形成されている。抜止被係合部３２ａは、上記抜止係合部２４に対応して、下方に向けて徐々に内向きに凹む形状を有している。そして、アプリケータ２２をベース本体３１上に載置すると、該抜止被係合部３２ａと抜止係合部２４とが係合可能に対向配置される。この際、抜止被係合部３２ａは下方に向けて徐々に内向きに凹む形状を呈しており、かつ、抜止係合部２４が下方に向けて徐々に外向きに突出する形状を呈しているので、アプリケータ２２を前方に向けて付勢することで、該アプリケータ２２の上方への脱出が防止される。
【００３３】
また、ベース本体３１には、ベース移動機構部５０による押動力を受ける被押動部３３が形成されている。具体的には、被押動部３３は、ベース本体３１の下面後部から下方に延びる略方形板状に形成されている。該被押動部３３は、スライド支持部材４５に形成された挿通穴４６ｈ（後述する）を通ってその下方に突出し、スライド支持部材４５の下方でベース移動機構部５０による押動力を受けるようになっている。
【００３４】
さらに、ベース本体３１の前部の一側部は略Ｌ字状に切り欠かれている。ベース本体３１の前端部及び該切欠部分の後辺側の前端部は、後述するスライド支持部材４５側の受部４６ｃ，４６ｄに当接可能な被受部３１ｃ，３１ｄとされている。
【００３５】
保持部３４は、アプリケータ２２をベース本体３１上に脱着可能な脱着位置（図７参照）と、ベース本体３１上に載置されたアプリケータ２２を保持可能な保持位置（図３〜図６参照）との間で移動自在に配設されている。
【００３６】
具体的には、保持部３４は、細長板状に形成されており、その長手方向をベース本体３１の長手方向に揃えるようにして、ベース本体３１上であってその幅方向略中央部に配設されている。
【００３７】
また、ベース本体３１の上面であってアプリケータ２２が載置される位置の後方近傍及びベース本体３１の後端部近傍に、ガイド支持部３５，３６が取付けられている。ガイド支持部３５，３６には、保持部３４を挿通自在なガイド溝３５ａ，３６ａが形成されており、上記保持部３４が各ガイド溝３５ａ，３６ａ内に挿通保持されることで、該保持部３４が前後方向にスライド自在に支持されることとなる。
【００３８】
この状態で、保持部３４の前端部は、ベース本体３１上に載置されるアプリケータ２２の基部２３の抜止係合部２５に対向して配設される。
【００３９】
この保持部３４の前端部の抜止被係合保持部３４ａは、上記抜止係合部２５に対応して、下方に向けて徐々に内向きに凹む形状を有している。そして、図７に示すように、保持部３４を後方の脱着位置に退避移動させた状態では、突条受部３２の抜止被係合部３２ａと保持部３４の抜止被係合保持部３４ａとの間に、アプリケータ２２の基部２３を着脱可能な程度の間隔が形成される。また、アプリケータ２２の基部２３を抜止被係合部３２ａと抜止被係合保持部３４ａとの間に配設するようにしてベース本体３１上に載置した状態で、保持部３４を前方の保持位置に向けて移動させると、抜止被係合部３２ａ及び抜止被係合保持部３４ａが各抜止係合部２４，２５に抜止め状に係合し、アプリケータ２２の上方への脱出が防止される。
【００４０】
また、この保持部３４の後端部は、後述するベース移動機構部５０の当接部５８に当接可能な被当接部３４ｂに形成されている。
【００４１】
具体的には、保持部３４の後端部は、ベース本体３１の後端部より突出している。そして、ベース移動機構部５０の当接部５８がベース本体３１の後端側から該被当接部３４ｂに当接可能とされている。
【００４２】
コイルバネ３７は、前記保持部３４を保持位置に向けて付勢する。
【００４３】
具体的には、コイルバネ３７の一端部は、ベース本体３１側に固定されるガイド支持部３６に形成されたバネ挿通孔３６ｈに挿通保持されると共に、コイルバネ３７の他端部は、保持部３４の上面に突設されたバネ固定突部３４ｃに形成されたバネ挿通孔３４ｃｈに挿通保持された状態で、該ガイド支持部３６とバネ固定突部３４ｃとの間に圧縮状態で介在されている。そして、このコイルバネ３７の弾性復元力により、保持部３４が後方の脱着位置から前方の保持位置に向けて付勢されることとなる。
【００４４】
なお、保持部３４を前方に向けて付勢する手段は上記のものに限られない。例えば、板バネを利用した構成であってもよい。
【００４５】
もっとも、アプリケータ２２を人手で容易に脱着できるように、保持部３４を前方に向けて付勢する手段による付勢力は、人の力で保持部３４を容易に脱着位置に向けて移動させることが出来る程度に弱い力であることが好ましい。
【００４６】
また、ベース本体３１の後部には、端子ガイドベース４０が連結固定される。
【００４７】
端子ガイドベース４０は、正面視略長方形状の板状に形成されている。また、端子ガイドベース４０の前部は、両側部に一対の連結片４１を有する正面視略Ｕ字状に形成されている。この端子ガイドベース４０は、一対の連結片４１を介してベース本体３１の後部に連結され、該ベース本体３１の後方延長上に位置している。ベース本体３１の後方であって一対の連結片４１間に、後述するベース移動機構部５０の当接部５８を挿通可能な空間が形成されることとなる。
【００４８】
また、端子ガイドベース４０の後部及び前後方向略中央部に、それぞれ第１端子ガイド部４２及び第２端子ガイド部４３が配設される。そして、このアプリケータ装置２０の上方に設けられた端子収容リールに巻回収容された連続状端子Ｔが第１端子ガイド部４２から第２端子ガイド部４３を経由してガイドされつつアプリケータ２２に向けて送り込まれることとなる。
【００４９】
スライド支持部材４５は、上記スライドベース３０を圧着位置とセット位置との間で移動自在に支持する。この圧着位置は、アプリケータ２２により各端子を電線Ｗの端部に圧着可能な位置であり、即ち、アプリケータ２２がクランプ部１４により保持された電線Ｗの端部近傍に位置して対向配置される位置である（図９参照）。セット位置は前記圧着位置から側方へ離れた位置であり（図１〜図４参照）、アプリケータ２２をスライドベース３０に対して着脱したり、連続状端子をアプリケータ２２にセットする作業時において、プレス部１６やクランプ部１４等が邪魔にならない程度に、圧着位置から側方へ離れた位置である。
【００５０】
具体的には、スライド支持部材４５は、平面視長方形状のスライド基板部４６とそのスライド基板部４６の両側部に設けられた一対の横ガイド部４７とを備えている。
【００５１】
スライド基板部４６の幅方向中央部には、該スライド基板部４６の長手方向に沿って延びる長穴状の挿通穴４６ｈが形成されている。後述するベース移動機構部５０の当接部５８が該挿通穴４６ｈを通ってスライド基板部４６の上方に突出状に配置されるようになっている。
【００５２】
一対の横ガイド部４７は、該スライド基板部４６の両側縁部に沿って、該スライド基板部４６の上方に突出するように配設されている。そして、上記スライド基板部４６上に載置されるスライドベース３０のベース本体３１をその両側方から支持する。これにより、図４及び図８，図９に示すように、スライドベース３０がスライド支持部材４５上にスライド自在に支持されることとなる。
【００５３】
また、スライド基板部４６の前部に上記スライドベース３０側の被受部３１ｃ，３１ｄに当接可能な受部４６ｃ，４６ｄが形成されている。そして、上記被受部３１ｃ，３１ｄが受部４６ｃ，４６ｄに当接するまで（図９参照）、スライドベース３０が前方に移動すると、該スライドベース３０が圧着位置に配設されることとなる。
【００５４】
なお、本実施の形態では、上記スライド基板部４６の前部に、その一側方に延びるようにしてサイドアプリ用スライド支持部材４８が延設されている。そして、複数の端子がキャリアを介して並列状に連結された連続状端子用のアプリケータが、該サイドアプリ用スライド支持部材４８上をスライド移動して、圧着位置に配設されるようにもなっている。
【００５５】
このスライド支持部材４５は、ブラケット４９を介して固定台６０に連結固定されている。なお、この固定台６０は、ブラケット６１を介して本固定台６２上に固定されている。
【００５６】
ベース移動機構部５０は、スライドベース３０を圧着位置に向けて移動させるための手段であり、ベース本体３１側に設けられた被押動部３３を押動するための押動部５６と、保持部３４側に設けられた被当接部３４ｂに当接可能な当接部５８とを備えている。
【００５７】
具体的には、ベース移動機構部５０は、シリンダ本体部５１ａと該シリンダ本体部５１ａの一側部を移動可能な可動部５１ｂとを有するロッドレスシリンダ５１を備えている。
【００５８】
シリンダ本体部５１ａは、固定台６０上に固定されており、可動部５１ｂはシリンダ本体部５１ａの上側部をその長手方向に沿って移動する構成となっている。
【００５９】
また、可動部５１ｂに若干前方に延出するようにして延設片５２が設けられている。該延設片５２の前端部に、上方に向けて延びるように押動部５６が立設されている。
【００６０】
図２，図４及び図１０に示すように、押動部５６の前部であって被押動部３３と対向する位置には、圧縮変形可能な圧縮変形部５７が設けられている。圧縮変形部５７は、バレル５７ｂ内をプランジャ５７ａが進退自在に配設されたもので、空気等の流体の圧縮膨張作用やバネの圧縮伸長作用等を利用して、該プランジャ５７ａが進出方向に付勢されている。そして、所定の力を加えると、プランジャ５７ａがバレル５７ｂ内に退避するように圧縮され、該力を取去ると、プランジャ５７ａがバレル５７ｂ内から進出するようになっている。このプランジャ５７ａを進出させる方向に付勢する力は、ロッドレスシリンダ５１の力よりも小さくなっている。なお、この圧縮変形部５７は、被押動部３３側に設けられていてもよい。
【００６１】
そして、スライドベース３０を圧着位置に向けて移動させる際には、ロッドレスシリンダ５１の駆動により、押動部５６を前方に移動させると、図１１に示すように、該押動部５６は、上記圧縮変形部５７を介して被押動部３３を前方に向けて押動する。これにより、スライドベース３０が前方の圧着位置に移動することとなる。
【００６２】
また、スライドベース３０が圧着位置に移動して、該スライドベース３０の被受部３１ｃ，３１ｄがスライド支持部材４５側の受部４６ｃ，４６ｄに当接すると、スライドベース３０の前方への移動が停止され、ロッドレスシリンダ５１の力がそのまま圧縮変形部５７に加わる。これにより、図１２に示すように、圧縮変形部５７が圧縮変形し、押動部５６は被押動部３３に対して相対的に近接移動する。
【００６３】
さらに、上記押動部５６の上端部は、圧縮変形部５７よりも上方に延びており、その上方に延びた部分で前側に突出して当接部５８に形成されている。
【００６４】
この当接部５８は、スライド基板部４６の挿通穴４６ｈを通って、ベース本体３１の後部であって一対の連結片４１間に配設され、保持部３４側の被当接部３４ｂと対向する位置に配設されるようになっている。
【００６５】
図４及び図１０に示すように、スライドベース３０がセット位置にある状態では、押動部５６及び当接部５８は、共に被押動部３３及び被当接部３４ｂに対して非接触状態となっている。
【００６６】
そして、図８及び図１１に示すように、押動部５６が非圧縮状態の圧縮変形部５７を介して被押動部３３を押動している状態、スライドベース３０を前方の圧着位置に向けて移動させる途中の状態では、当接部５８と被当接部３４ｂとの間に隙間が形成されて、それらが互いに当接しない状態となっている。
【００６７】
一方、図９及び図１２に示すように、押動部５６が圧縮状態の圧縮変形部５７を介して被押動部３３を押動している状態、即ち、スライドベース３０が前方の圧着位置に位置している状態では、当接部５８が被当接部３４ｂに向けて相対的に近接移動し、当接部５８が被当接部３４ｂに当接する。これにより、該保持部３４は保持位置に保持されることとなる。
【００６８】
以上のように構成されたアプリケータ装置２０について、アプリケータ２２の交換手順を説明する。
【００６９】
まず、初期状態では、スライドベース３０は後方のセット位置に配設されている。また、ベース移動機構部５０の押動部５６は後方に移動し、当接部５８は被当接部３４ｂに対して所定の隙間をあけて離間している状態となっている（図３，図４及び図１０参照）。
【００７０】
そして、電線Ｗの端部に圧着される端子の形状等に応じたアプリケータ２２を準備し、コイルバネ３７の付勢力に抗して保持部３４を後方に押すようにして、該アプリケータ２２の基部２３を抜止被係合部３２ａと抜止被係合保持部３４ａとの間に配設するようにしてベース本体３１上に載置する。そして、保持部３４を後方に押す力を取去ると、コイルバネ３７の付勢力により保持部３４が前方に付勢され、アプリケータ２２がスライドベース３０上に仮固定される（図７参照）。
【００７１】
この状態で、連続状端子Ｔが第１端子ガイド部４２及び第２端子ガイド部４３を通ってアプリケータ２２にセットされる。この際、アプリケータ２２は圧着位置から側方へ離れた位置に配設されているので、プレス部１６やクランプ部１４等が邪魔にならず、容易に連続状端子Ｔのセット作業を行える。
【００７２】
上述のようにアプリケータ２２に連続状端子Ｔをセットした後、アプリケータを圧着位置に向けて移動させる。
【００７３】
すなわち、図示省略の操作スイッチ等を操作して、ロッドレスシリンダ５１の駆動させて、押動部５６を前方に移動させる。すると、図８及び図１１に示すように、まず、押動部５６が圧縮変形部５７を介して被押動部３３を前方に向けて押動する。ここで、圧縮変形部５７を圧縮変形させるのに必要な力は、スライドベース３０を移動させるのに必要な力（摩擦力）よりも大きい。従って、スライドベース３０移動中においては、圧縮変形部５７は非圧縮状態であり、当接部５８は被当接部３４ｂに非接触な状態である。
【００７４】
そして、図９及び図１２に示すように、スライドベース３０が圧着位置に到達すると、スライドベース３０の前部の被受部３１ｃ，３１ｄがスライド支持部材４５側の受部４６ｃ，４６ｄに当接する。これにより、ロッドレスシリンダ５１の押動力がそのまま圧縮変形部５７に加わり、該圧縮変形部５７が圧縮変形する。そして、当接部５８が被当接部３４ｂに向けて相対的に近接移動し、当接部５８が被当接部３４ｂに当接する。従って、該保持部３４が保持位置に位置する状態が保持されることとなる。これにより、アプリケータ２２はスライドベース３０に対して本固定される。
【００７５】
一方、アプリケータ２２を取外す際には、まず、ロッドレスシリンダ５１の駆動により、押動部５６を後方に移動させる。すると、該押動部５６の上側の後端部が一対の連結片４１間で端子ガイドベース４０の前端部に当接して、スライドベース３０を後方のセット位置に押動する。スライドベース３０をセット位置に移動させた状態では、上述した初期状態に戻り、保持部３３の当接部３４と当接部５８との間に若干の隙間が空いた状態となっている。従って、保持部３３を後方に押下げながら、アプリケータ２２を上方に持上げると、該アプリケータ２２をスライドベース３０から容易に取外すことができる。
【００７６】
以上のように構成されたアプリケータ装置２０によると、コイルバネ３７によりアプリケータ２２をスライドベース３０上に仮固定した後、ベース移動機構部５０によりスライドベース３０を圧着位置に移動させると、圧縮変形部５７が圧縮変形すると共に当接部５８が被当接部３４ｂに当接して、保持部３４が保持位置に位置する状態を保持するため、アプリケータ２２をより容易かつがたつき無くスライドベース３０上に固定することができる。
【００７７】
また、スライドベース３０の移動と、アプリケータ２２の本固定とが、単一のロッドレスシリンダ５１により実現されるため、構成のコンパクト化も可能となる。
【００７８】
なお、上記ロッドレスシリンダ５１の他、通常のロッド付のシリンダやモータの回転運動を直線運動に変換してスライドベース３０の移動等を行う周知のアクチュエータ機構を用いることができる。
【００７９】
また、本実施の形態では、複数の端子が直列状に連結されてなる連続状端子を、電線Ｗの端部延長上から送り込んで該電線Ｗの端部に圧着するタイプのもの（いわゆるエンドアプリ）について適用した例について説明したが、複数の端子がキャリアを介して並列状に連結されてなる連続状端子を電線Ｗの端部側方から送りこんで該電線Ｗの端部に圧着するタイプのもの（いわゆるサイドアプリ）についても適用できる。
【００８０】
【発明の効果】
以上のように、この発明の請求項１記載のアプリケータ装置によると、保持機構部によりアプリケータをスライドベースに保持した後、ベース移動手段により、スライドベースを圧着位置に移動させると、該ベース移動手段が、前記保持機構部によるアプリケータの保持状態を維持させるため、アプリケータをより容易かつがたつき無くスライドベース上に固定することができる。
【００８１】
さらに、仮固定用付勢手段の付勢力によりアプリケータをスライドベース上に仮固定した後、ベース移動手段によりスライドベースを圧着位置に移動させているため、圧縮変形部が圧縮変形すると共に当接部が被当接部に当接して、保持体が前記保持位置に位置する状態を保持することで、アプリケータをより容易かつがたつき無くスライドベース上に固定することができる。
【００８２】
また、請求項２記載の発明によれば、圧着位置の側方で、アプリケータをスライドベース上に仮固定し、かつ、そのアプリケータに連続状端子をセットできるため、それら一連の作業を容易に行える。
【図面の簡単な説明】
【図１】この発明の実施の形態に係るアプリケータ装置が適用される端子圧着装置を示す概略平面図である。
【図２】同上のアプリケータ装置が適用される端子圧着装置を示す概略側面図である。
【図３】同上のアプリケータ装置を示す概略平面図である。
【図４】同上のアプリケータ装置を示す概略側面図である。
【図５】スライドベースの要部拡大平面図である。
【図６】図５のＩＶ−ＩＶ線断面図である。
【図７】スライドベースにアプリケータを仮固定する途中工程を示す断面図である。
【図８】スライドベースの移動途中状態を示す概略側面図である。
【図９】スライドベースが圧着位置にある状態を示す概略側面図である。
【図１０】スライドベースがセット位置にある状態においてベース移動機構部とスライドベースとの関係を示す一部断面側面図である。
【図１１】スライドベースの移動中におけるベース移動機構部とスライドベースとの関係を示す一部断面側面図である。
【図１２】スライドベースが圧着位置にある状態においてベース移動機構部とスライドベースとの関係を示す一部断面側面図である。
【符号の説明】
２０  アプリケータ装置
２２  アプリケータ
３０  スライドベース
３１  ベース本体
３３  被押動部
３４  保持部
３４ｂ  被当接部
３７  コイルバネ
４５  スライド支持部材
５０  ベース移動機構部
５１  ロッドレスシリンダ
５６  押動部
５７  圧縮変形部
５８  当接部
Ｔ  連続状端子
Ｗ  電線
【図１】
0003928464.tif 000002
【図２】
0003928464.tif 000003
【図３】
0003928464.tif 000004
【図４】
0003928464.tif 000005
【図５】
0003928464.tif 000006
【図６】
0003928464.tif 000007
【図７】
0003928464.tif 000008
【図８】
0003928464.tif 000009
【図９】
0003928464.tif 000010
【図１０】
0003928464.tif 000011
【図１１】
0003928464.tif 000012
【図１２】
0003928464.tif 000013